(57)【要約】【課題】利用者のプライバシーに配慮しつつ、位置に基づく情報の配信を受けることを可能とする移動体装置を提供する。【解決手段】複数の無線信号到来源２からの信号を受信し、受信した信号の発信元である無線信号到来源２の数が３以上であるときに、各無線信号到来源２から受信した信号の信号強度の情報を取得して、無線信号到来源２の位置情報と、取得した信号強度の情報とに基づいて、自己が、予め定められた領域中に在圏するか否かを判断する。そして当該領域中に在圏すると判断したときに、無線信号到来源２のそれぞれから受信した信号に基づく情報を再生する移動体装置である。【選択図】図１
2015195467.tif 000002
【特許請求の範囲】
【請求項１】
複数の無線信号到来源から、それぞれ符号化された配信対象の情報の一部ずつを含んだ信号を受信する受信手段と、
前記複数の無線信号到来源から受信した信号に基づき、各無線信号到来源との距離の情報を取得する手段と、
前記無線信号到来源の位置情報と、前記取得した距離の情報とに基づいて、自己が、予め定められた領域中に在圏するか否かを判断する判断手段と、
前記判断手段により、前記領域中に在圏すると判断したときに、前記受信した信号に基づいて配信対象の情報を再生する再生手段と、
を有する移動体装置。
【請求項２】
コンピュータを、
複数の無線信号到来源から、それぞれ符号化された配信対象の情報の一部ずつを含んだ信号を受信する受信手段と、
前記複数の無線信号到来源から受信した信号に基づき、各無線信号到来源との距離の情報を取得する手段と、
前記無線信号到来源の位置情報と、前記取得した距離の情報とに基づいて、自己が、予め定められた領域中に在圏するか否かを判断する判断手段と、
前記判断手段により、前記領域中に在圏すると判断したときに、前記受信した信号に基づいて配信対象の情報を再生する再生手段と、
として機能させるプログラム。
【発明の詳細な説明】
【技術分野】
【０００１】
本発明は、携帯電話機等の移動体装置に関する。
【背景技術】
【０００２】
近年、予め定めておいた地理的範囲内にある移動体装置に対し、特定の情報を配信する技術の利用が考えられている。例えば、低電力でブルートゥースの通信を行うＢＬＥ（Bluetooth Low Energy；Bluetoothは登録商標）と呼ばれる技術を用いて移動体装置に対して情報を配信することで、当該ＢＬＥの通信可能圏内にある移動体装置に対してのみ情報を伝達することが行われている。その技術を用いた例が、非特許文献１などに開示されている。
【先行技術文献】
【非特許文献】
【０００３】
【非特許文献１】Apple Inc., "Location and Maps Programming Guide", p.8, pp.21-30, 2013-10-24
【発明の概要】
【発明が解決しようとする課題】
【０００４】
しかしながら、上記従来の技術においては、ＢＬＥ信号を発信する無線信号到来源において、移動体装置がＢＬＥ信号の通信可能圏内に入ったことを検出して、情報の配信を行うこととなっている。つまり、従来の技術では、情報の配信を行う側が、利用者の位置を検出しており、利用者のプライバシーに配慮できていないという問題点があった。
【０００５】
本発明は上記実情に鑑みて為されたもので、利用者のプライバシーに配慮しつつ、位置に基づく情報の配信を受けることを可能とする移動体装置を提供することを、その目的の一つとする。
【課題を解決するための手段】
【０００６】
上記従来例の問題点を解決する本発明は、移動体装置であって、複数の無線信号到来源から、それぞれ符号化された配信対象の情報の一部ずつを含んだ信号を受信する受信手段と、前記複数の無線信号到来源から受信した信号に基づき、各無線信号到来源との距離の情報を取得する手段と、前記無線信号到来源の位置情報と、前記取得した距離の情報とに基づいて、自己が、予め定められた領域中に在圏するか否かを判断する判断手段と、前記判断手段により、前記領域中に在圏すると判断したときに、前記受信した信号に基づいて配信対象の情報を再生する再生手段と、を有することとしたものである。
【０００７】
また本発明の一態様に係るプログラムは、コンピュータを、複数の無線信号到来源から、それぞれ符号化された配信対象の情報の一部ずつを含んだ信号を受信する受信手段と、前記複数の無線信号到来源から受信した信号に基づき、各無線信号到来源との距離の情報を取得する手段と、前記無線信号到来源の位置情報と、前記取得した距離の情報とに基づいて、自己が、予め定められた領域中に在圏するか否かを判断する判断手段と、前記判断手段により、前記領域中に在圏すると判断したときに、前記受信した信号に基づいて配信対象の情報を再生する再生手段と、として機能させることとしたものである。
【発明の効果】
【０００８】
本発明によれば、利用者のプライバシーに配慮しつつ、位置に基づく情報の配信を受けることが可能となる。
【図面の簡単な説明】
【０００９】
【図１】本発明の実施の形態に係る移動体装置の構成とその接続の例を表すブロック図である。
【図２】本発明の実施の形態に係る移動体装置に対して情報を配信する無線信号到来源の例を表す構成ブロック図である。
【図３】本発明の実施の形態に係る移動体装置の位置の演算例を表す説明図である。
【図４】本発明の実施の形態に係る移動体装置の例を表す機能ブロック図である。
【発明を実施するための形態】
【００１０】
本発明の実施の形態について図面を参照しながら説明する。本発明の実施の形態に係る移動体装置１は、例えば携帯電話機であり、図１に例示するように、制御部１１と、記憶部１２と、操作部１３と、表示部１４と、通信部１５とを含んで構成されている。またこの移動体装置１は近傍にある複数の無線信号到来源２ａ，ｂ，ｃ…から到来する信号を受信する。ここで複数の無線信号到来源２のうちには、少なくとも一つの無線通信ポイント２０を含む。また、無線信号到来源２の一部は、無線信号を反射する反射体４０であってもよい。無線信号到来源２の一例である無線通信ポイント２０は、センタ側装置３から受信される指示に従い、無線にて信号を発信する。
【００１１】
制御部１１は、ＣＰＵ等のプログラム制御デバイスであり、記憶部１２に格納されたプログラムに従って動作する。本実施の形態では、この制御部１１は、一般的な携帯電話機としての機能を提供する動作を行うほか、複数の無線信号到来源２から到来する符号化された信号を受け入れる。そして複数の無線信号到来源２のそれぞれから受信した、符号化された配信対象の情報の一部ずつを含んだ信号に基づいて各無線信号到来源２との距離の情報を取得し、無線信号到来源２の位置情報と、取得したそれぞれの無線信号到来源２との間の距離の情報とに基づいて、自己が、予め定められた領域中に在圏するか否かを判断する。そしてこの制御部１１は、当該領域中に自身（移動体装置１）が在圏すると判断したときに、無線信号到来源２のそれぞれから受信した信号に基づいて配信対象の情報を再生し、所定の処理を実行する。
【００１２】
なお、制御部１１における無線信号到来源２との距離の情報の取得は、到来した無線信号の強度（ＲＳＳＩ：Received Signal Strength Indicator）を用いて、その減衰の程度から距離を推定する方法によってもよいし、到来する無線信号の伝播遅延を検出し、この遅延の程度から距離を推定する方法を採用してもよい。以下の例では、まず無線信号の強度を用いるものとして説明する。この制御部１１の動作については後に詳しく述べる。
【００１３】
記憶部１２は、メモリデバイス等であり、制御部１１によって実行されるプログラムを保持する。このプログラムは、ＤＶＤ−ＲＯＭ等の、非一時的（non-transitory）で、コンピュータ可読な記録媒体に格納されて提供され、この記憶部１２に格納されたものであってもよいし、ネットワーク等の通信手段を介して提供され、この記憶部１２に格納されたものであってもよい。またこの記憶部１２は、制御部１１のワークメモリとしても動作する。操作部１３は、例えばタッチパネル等であり、利用者の指示操作を受け入れて制御部１１に出力する。表示部１４は、液晶ディスプレイ等であり、制御部１１から入力される指示に従って情報を表示出力する。
【００１４】
通信部１５は、本実施の形態の一例では、図１に例示したように、携帯電話通信部１５ａと、無線ＬＡＮ通信部１５ｂと、近距離通信部１５ｃとを含んで構成される。ここで携帯電話通信部１５ａは、携帯電話通信網に接続される基地局ＢＳとの間で通信を行う。また無線ＬＡＮ通信部１５ｂは、通信可能な範囲に無線ＬＡＮアクセスポイントがあれば、当該無線ＬＡＮアクセスポイントとの間で通信回線を確立し、制御部１１から入力される指示に従って、当該通信回線を介して情報を送出する。またこの通信回線を介して受信した情報を制御部１１に出力する。
【００１５】
さらに近距離通信部１５ｃは、例えばブルートゥース（登録商標）等、無線にて近距離通信を行う手段であり、移動体装置１から通信可能な範囲にある無線信号到来源２が発信する信号を受信して制御部１１に出力する。なお、これら携帯電話通信部１５ａや無線ＬＡＮ通信部１５ｂ、並びに近距離通信部１５ｃは、制御部１１から入力される指示に従い、受信した信号の強度を表す情報であるＲＳＳＩ値を出力する。
【００１６】
無線信号到来源２の一例である無線通信ポイント２０は、本実施の形態の一例では図２に例示するように、制御部２１と、記憶部２２と、第１通信部２３と、第２通信部２４とを含んで構成される。
【００１７】
ここで制御部２１は、ＣＰＵ等のプログラム制御デバイスであり、記憶部２２に格納されたプログラムに従って動作する。この制御部２１は、第１通信部２３がネットワークを介してセンタ側装置３から受信した指示の入力を受け入れる。そして当該指示に従って、第２通信部２４を制御して情報を発信する。具体的にこの制御部２１は、後に述べるように、センタ側装置３から配信対象の情報に基づいて生成されたデータブロックを少なくとも一つ受信する。制御部２１は、この受信したデータブロックを（複数ある場合は順次）、第２通信部２４を介して無線にて送出する。
【００１８】
記憶部２２は、メモリデバイス等であり、制御部２１によって実行されるプログラムを保持する。このプログラムは、ＤＶＤ−ＲＯＭ等の、非一時的（non-transitory）で、コンピュータ可読な記録媒体に格納されて提供され、この記憶部２２に格納されたものであってもよいし、ネットワーク等の通信手段を介して提供され、この記憶部２２に格納されたものであってもよい。またこの記憶部２２は、制御部２１のワークメモリとしても動作する。
【００１９】
第１通信部２３は、例えば有線ＬＡＮインタフェースであり、ネットワークを介して受信される情報を制御部２１に出力する。またこの第１通信部２３は、制御部２１から入力される指示に従ってネットワークを介して情報を送出する。本実施の形態では、この第１通信部２３は、ネットワークを介してセンタ側装置３との間で情報を授受する。
【００２０】
第２通信部２４は、制御部２１から入力される指示に従い、ブルートゥース規格による信号を発信する。具体的に本実施の形態では、この第２通信部２４は、制御部２１から、配信の対象となる情報を受け入れる。そして第２通信部２４は、当該指示に従って、配信の対象となる情報を含んだ信号を生成する。一例としてここで第２通信部２４は、ＢＬＥ（Bluetooth Low Energy）として策定されている技術におけるアドバタイズメント・パケットのうちに、当該配信の対象となる情報を含めて、発信するべきアドバタイズメント・パケットを生成する。第２通信部２４は、当該生成したアドバタイズメント・パケットを、ＢＬＥの信号として、ブロードキャスト（宛先を指定せず、すべての受信可能な端末により受信される情報として送出）する。
【００２１】
センタ側装置３は、情報の配信先となる場所の近傍に配されている３つ以上の無線通信ポイント２０に対して、配信の対象となる情報の少なくとも一部をそれぞれ出力する。本実施の形態の一例では、センタ側装置３は配信の対象となる情報に基づいて複数のデータブロックＢ１，Ｂ２，…Ｂｎを得る。これらデータブロックは、配信の対象となる情報を、所定のデータサイズごとに分割して得たものであってもよいし、所定の符号化を施して分割することにより、そのうちの一部（例えばｎ個のうちｍ＜ｎなるｍ個）だけ受信できれば元の情報が再生可能となるようなデータブロックとしてもよい。この後者のようなデータブロックとしては例えばイレージャーコーディングによる符号化を行ったものなどがある。センタ側装置３は、当該得られたデータブロックを、それぞれ、情報の配信先となる場所の近傍に配されている３つ以上の無線通信ポイント２０の少なくとも一つに対して送出して配信させる。
【００２２】
具体的に本実施の形態では、図３に例示するように情報の配信先となる場所Ｐ内の基準点Ｔを定めておき、この基準点Ｔの近傍に３つ以上の無線通信ポイント２０ａ，２０ｂ，２０ｃ…を配しておく。ここでは説明を簡単にするため、すべての無線通信ポイント２０が無線通信ポイント２０ａ，２０ｂ，２０ｃであるものとして説明する。またここで各無線通信ポイント２０ａ，２０ｂ，２０ｃ…から基準点Ｔまでの距離は、それぞれＡ，Ｂ，Ｃ…とし、互いに異なっていても構わないものとする。また図３に例示するように、基準点Ｔから所定の方向（例えば北向き）を既定方向として、基準点Ｔから見たときの無線通信ポイント２０ａの方角までの角度を、この既定方向から反時計回りの角度αで表す。同様に、基準点Ｔから見たときの無線通信ポイント２０ｂ，２０ｃ…の方角までの角度を、既定方向から反時計回りの角度β，γ…で表すものとする。
【００２３】
このとき、センタ側装置３は、情報の配信先となる場所Ｐにおいて配信の対象とする情報に基づいて複数（Ｎ個（Ｎ≧３））のデータブロックＢ１，Ｂ２，…Ｂｎを得る。そして当該得られたデータブロックのうちＮＡ個を無線通信ポイント２０ａに対して送出し、ＮＢ個を無線通信ポイント２０ｂに対して送出し、ＮＣ個を無線通信ポイント２０ｃに対して送出し…というように、場所Ｐ近傍にある無線通信ポイント２０に対してそれぞれ所定の方法で定めた数ずつ送出する。この送出する個数ＮＡ，ＮＢ…は、いずれも等しい値としてもよいし、場所Ｐ内の基準点Ｔと各無線通信ポイント２０までの距離（あるいは基準点Ｔにおける無線通信ポイント２０からの信号の強度）に応じて定めてもよい。
【００２４】
一例として、センタ側装置３は、所定の方法で定めた目標比に応じて送出するデータブロックの個数の比を決定してもよい。ここで目標比の一例は、場所Ｐ内の基準点Ｔと各無線通信ポイント２０までの距離の二乗の比である。この場合、センタ側装置３は、具体的に、ＮＡ：ＮＢ：ＮＣ：…＝１／Ａ2：１／Ｂ2：１／Ｃ2：…に最も近くなるように、ＮＡ，ＮＢ，ＮＣ…を決定する。例えばＡ＝６、Ｂ＝２、Ｃ＝３である場合に、配信対象の情報から１４個のデータブロックを得たのであれば、１／Ａ2：１／Ｂ2：１／Ｃ2＝１／３６：１／４：１／９＝１：９：４であるので、センタ側装置３は、無線通信ポイント２０ａに対して１つのデータブロックＢ１，を送出し、無線通信ポイント２０ｂに対して９つのデータブロックＢ２，Ｂ３…，Ｂ１０を送出し、無線通信ポイント２０ｃに対して４つのデータブロックＢ１１，Ｂ１２，Ｂ１３，Ｂ１４を送出してそれぞれ配信させる。
【００２５】
もっとも、無線通信ポイント２０から到来するデータブロックの数が少なすぎると、当該無線通信ポイント２０までの距離情報の誤差が大きくなると考えられるので、最低個数を予め定めておいてもよい。この場合センタ側装置３は、各無線通信ポイント２０に対して送出するデータブロックの個数を例えば上記目標比により仮に定めておき、当該仮に定めた個数が最低個数を下回る送出先に対しては、なるべく目標比に近くなるようにしつつ、各無線通信ポイント２０へ送出するデータブロックの数を補正する。
【００２６】
上述の例で、最低個数を「２」とする場合、距離の二乗を目標比とした場合のデータブロックの個数が、ＮＡ＝１、ＮＢ＝９、ＮＣ＝４であり、無線通信ポイント２０ａへ送出するデータブロックの個数が最低個数を下回ることとなる。そこでセンタ側装置３は、無線通信ポイント２０ｂへ送出するデータブロックのうちから一つを無線通信ポイント２０ａへ送出するようにした場合、つまりＮＡ＝２、ＮＢ＝８、ＮＣ＝４とした場合（第１の場合）と、無線通信ポイント２０ｃへ送出するデータブロックのうちから一つを無線通信ポイント２０ａへ送出するようにした場合、つまりＮＡ＝２、ＮＢ＝９、ＮＣ＝３とした場合（第２の場合）とでどちらが目標比に近いかを演算する。この場合、ＮＡを除くＮＢ／ＮＣの比は、目標比では９／４＝２．２５であり、上記第１の場合で８／４＝２であり、上記第２の場合で９／３＝３であるので、センタ側装置３は、第１の場合の比がより目標比に近いと判断してＮＡ＝２、ＮＢ＝８、ＮＣ＝４とする。
【００２７】
また、上記目標比は距離の二乗の比に限られない。例えば送出するデータブロックの個数の比を、対数の逆数の比に応じて決定してもよい。すなわち、ＮＡ：ＮＢ：ＮＣ：…＝１／ｌｏｇ（Ａ）：１／ｌｏｇ（Ｂ）：１／ｌｏｇ（Ｃ）：…に最も近くなるように、ＮＡ，ＮＢ，ＮＣ…を決定することとしてもよい。例えばＡ＝８、Ｂ＝４、Ｃ＝１６である場合に、配信対象の情報から１３個のデータブロックを得たのであれば、１／ｌｏｇ（Ａ）：１／ｌｏｇ（Ｂ）：１／ｌｏｇ（Ｃ）＝１／３：１／２：１／４＝４：６：３であるので、センタ側装置３は、無線通信ポイント２０ａに対して４つのデータブロックＢ１，Ｂ２，Ｂ３，Ｂ４を送出し、無線通信ポイント２０ｂに対して６つのデータブロックＢ５，Ｂ６，Ｂ７，Ｂ８，Ｂ９，Ｂ１０を送出し、無線通信ポイント２０ｃに対して３つのデータブロックＢ１１，Ｂ１２，Ｂ１３を送出してそれぞれ配信させる。この場合も、最低個数を下回る場合には、目標比になるべく近くなるように補正してもよい。
【００２８】
無線通信ポイント２０は、センタ側装置３が送出したデータブロックを受信して、アドバタイズメント・パケットに含めてＢＬＥの信号として送出する。このとき無線通信ポイント２０は、当該アドバタイズメント・パケットに、自己を特定する無線通信ポイントの識別情報と、上記設定されている基準点Ｔからの距離及び既定方向からの角度（無線通信ポイント２０ａであれば、距離Ａ及び角度α）を含めて送出するものとする。
【００２９】
次にここで、移動体装置１の制御部１１の動作について説明する。本実施の形態の制御部１１は、図４に例示するように、機能的に、情報受信部３１と、強度情報取得部３２と、判断部３３と、再生処理部３４と、を含んで構成される。ここで情報受信部３１は、近距離通信部１５ｃを介して少なくとも一つの無線通信ポイント２０からの信号を受け入れる。情報受信部３１は、受け入れた信号からパケットのデータ（アドバタイズメント・パケットに含まれる情報）を取りだして、強度情報取得部３２、判断部３３、及び再生処理部３４に出力する。
【００３０】
強度情報取得部３２は、情報受信部３１がいずれかの無線通信ポイント２０からの信号を受け入れると、近距離通信部１５ｃに対して当該受け入れて信号の強度の情報を要求する。強度情報取得部３２はまた、情報受信部３１が受け入れた信号の発信元の無線通信ポイント２０がどれであるかを表す識別情報を、情報受信部３１が取りだした情報のうちから取得しておく。近距離通信部１５ｃが当該要求に応答して信号の強度の情報を出力すると、強度情報取得部３２は、取得した無線通信ポイント２０の識別情報と、当該近距離通信部１５ｃから得られた信号の強度の情報（ここではＲＳＳＩ値であるとする）とを関連付けて記憶部１２に格納する。
【００３１】
強度情報取得部３２は、そして、記憶している無線通信ポイント２０の識別情報が、３種類以上になったときに、互いに異なる識別情報に関連付けて記憶しているＲＳＳＩ値（信号強度の情報）を判断部３３に出力する。
【００３２】
判断部３３は、強度情報取得部３２が出力する情報から、無線通信ポイント２０の位置情報（基準点Ｔを基準とした位置情報、ここではアドバタイズメント・パケットに含められて受信される）と、取得したそれぞれの無線通信ポイント２０からの信号の信号強度の情報（ＲＳＳＩ値）とに基づいて、自己が、予め定められた領域中に在圏するか否かを判断する。
【００３３】
すなわち判断部３３は、強度情報取得部３２が出力する、無線通信ポイント２０ごとのＲＳＳＩ値を用いて、情報受信部３１が受け入れた信号の発信元である各無線通信ポイント２０までの距離を求める。具体的に判断部３３は、無線強度の情報であるＲＳＳＩ値から、
【数１】
2015195467.tif 000003
などの広く知られた数式を用いて距離ｒを演算する。ここでＳ0は無線通信ポイント２０から１ｍの距離にあるときのＲＳＳＩ値であり、予め測定して取得しておくものとする。強度情報取得部３２は、この（１）式に、近距離通信部１５ｃから得られたＲＳＳＩ値を代入し、方程式の解を数値的に得ることにより、推定された距離ｒを演算する。
【００３４】
一例として判断部３３は、無線通信ポイント２０ａの識別情報を含むアドバタイズメント・パケットを受信したときのＲＳＳＩから演算される距離ｒａと、無線通信ポイント２０ｂの識別情報を含むアドバタイズメント・パケットを受信したときのＲＳＳＩから演算される距離ｒｂと、無線通信ポイント２０ｃの識別情報を含むアドバタイズメント・パケットを受信したときのＲＳＳＩから演算される距離ｒｃとを得る。
【００３５】
判断部３３は、そして、基準点Ｔからの距離をＲとし、基準点Ｔを原点とした既定方向からの角度をθとして、余弦定理を利用した次の演算によりＲ，θを推定して求める。すなわち判断部３３は、θ＝２ｋπ／ｎ（ｎは予め定めた整数、ｋは整数）とおき、ｋを０からｎ−１まで変化させつつ、
【数２】
2015195467.tif 000004
の各式から、それぞれＲa，Ｒb，Ｒcを求める（２次方程式の解の公式を用いればよい）。なお、各式においてA，Ｂ，C，α，β，γは、受信されたアドバタイズメント・パケットに含まれる情報から得られるものである。
【００３６】
判断部３３は、あるｋの値において、Ｒa，Ｒb，Ｒcの３数の平均Ｒave（算術平均でよい）と、各数の差の絶対値｜Ｒa−Ｒave｜（｜＊｜は＊の絶対値を表す）、｜Ｒb−Ｒave｜、…がいずれも予め定めたしきい値ωよりも小さくなったならば、そのときのＲaveを、基準点Ｔからの距離をＲとする。そして判断部３３は、当該Ｒが別途定めた距離しきい値Ｒthよりも小さいか否かを調べる。
【００３７】
判断部３３は、Ｒが距離しきい値Ｒthよりも小さいと判断すると、予め定められた領域中に自身（移動体装置１）が在圏すると判断して、その旨を表す情報を、再生処理部３４に出力する。またこのとき、Ｒが距離しきい値Ｒthよりも小さくないと判断すると、判断部３３は予め定められた領域中に自身（移動体装置１）が在圏しないと判断して、その旨を表す情報を、再生処理部３４に出力する。
【００３８】
なお、平均Ｒaveと、各数の差の絶対値｜Ｒa−Ｒave｜、｜Ｒb−Ｒave｜、…が予め定めたしきい値ωよりも小さくないと判断すると、判断部３３はｋを１だけインクリメントして（２）式によりＲa，Ｒb，Ｒcを求める処理を続ける。また、ｋ＝０，１，…，ｎ−１のどのｋにおいても平均Ｒaveと、各数の差の絶対値｜Ｒa−Ｒave｜、｜Ｒb−Ｒave｜、…が予め定めたしきい値ωよりも小さくないと判断すると、判断部３３は、予め定められた領域中に自身（移動体装置１）が在圏しないと判断して、その旨を表す情報を、再生処理部３４に出力する。なお、判断部３３は、（２）式を満足するＲ，θが存在し、当該Ｒが距離しきい値Ｒthよりも小さい場合に、予め定められた領域中に自身（移動体装置１）が在圏すると判断すればよく、在圏の判断方法、つまり（２）式を満足するＲ，θ（ただしＲ≦ＲthまたはＲ＜Ｒth）が存在するか否かの判断方法は、ここで述べた例に限られない。
【００３９】
再生処理部３４は、判断部３３から予め定められた領域中に自身（移動体装置１）が在圏する旨の情報が入力されると、情報受信部３１が受け入れた信号から取りだしたパケットのデータ（アドバタイズメント・パケットに含まれる情報）から、配信の対象となった情報を抽出する。ここで抽出される情報は、配信の対象となった情報に基づいて得られたデータブロックの少なくとも一部であるので、再生処理部３４は、得られたデータブロックから配信対象の情報が再生できるか否かを判断し、再生できなければ、さらにデータブロックが受信されるまで待機して、処理を続ける。
【００４０】
またここで配信対象の情報が再生できると判断したならば、再生処理部３４は、得られているデータブロックから配信の対象となった情報を再生し、当該情報に基づく所定の処理を実行する。ここで所定の処理は、例えば当該再生した情報を表示する処理であってもよいし、当該再生した情報に基づいて音声等を鳴動する処理であってもよい。
【００４１】
また再生処理部３４は、判断部３３から、予め定められた領域中に自身（移動体装置１）が在圏しない旨の情報が入力されると、データブロックからの再生処理を行わない。また（２）式の演算により得られたＲa，Ｒb，Ｒcのいずれか（例えばそのうち最小のもの）が第２の距離しきい値Ｒmaxより大きい場合には、受信しているアドバタイズメント・パケットから得られた情報を破棄するようにしてもよい。
【００４２】
本実施の形態の一例は、以上の構成を備えてなり、次のように動作する。本実施の形態では、例えば広告の情報を配信対象とし、当該広告を配信するべき場所の近傍に３つ以上の無線通信ポイント２０ａ，２０ｂ，２０ｃ…を配しておく。
【００４３】
また広告を配信するべき場所の内部に仮想的に定めた基準点Ｔから各無線通信ポイント２０ａ，２０ｂ，２０ｃ…までの距離Ａ，Ｂ，Ｃ…と、基準点Ｔを原点とし、この原点を通り仮想的に定めた方向を既定方向として、この既定方向からみた無線通信ポイント２０ａ，２０ｂ，２０ｃ…の角度（反時計回りに角度を定めることとすればよい）をα，β，γ…として予め測定して得ておく。また、これらそれぞれの無線通信ポイント２０ａ，２０ｂ，２０ｃ…についての距離及び角度の情報は、それぞれの無線通信ポイント２０ａ，２０ｂ，２０ｃ…に記憶させておく。
【００４４】
センタ側装置３は、配信対象となった情報に基づいて複数のデータブロックを生成する。またこのセンタ側装置３は、生成したデータブロックを、当該情報の配信先近傍に配された無線通信ポイント２０ａ，２０ｂ，２０ｃ…にそれぞれ送出する。当該データブロックを受信した無線通信ポイント２０ａ，２０ｂ，２０ｃ…は、センタ側装置３から受け入れたデータブロックの内容を含んだアドバタイズメント・パケットを、繰り返し無線にて送出する。
【００４５】
またこのとき無線通信ポイント２０ａ，２０ｂ，２０ｃ…は、当該アドバタイズメント・パケットに、自己を特定する無線通信ポイントの識別情報と、上記設定されている基準点Ｔからの距離及び既定方向からの角度（無線通信ポイント２０ａであれば、距離Ａ及び角度α）等、無線通信ポイント自身の位置情報を含めて送出している。
【００４６】
移動体装置１は、少なくとも一つの無線通信ポイント２０からの信号を受け入れると、当該受け入れた信号からパケットのデータ（アドバタイズメント・パケットに含まれる情報）を取りだす。そして当該信号の信号強度の情報を得て、当該受け入れた信号の発信元の無線通信ポイント２０がどれであるかを表す識別情報と、得られた信号強度の情報（ＲＳＳＩ値）とを関連付けて記憶する。
【００４７】
またこの移動体装置１は、記憶している無線通信ポイント２０の識別情報が、３種類以上（互いに異なる３つ以上の識別情報が記憶された状態）になったときに、当該互いに異なる識別情報に関連付けて記憶しているＲＳＳＩ値（信号強度の情報）を読み出す。移動体装置１は、さらに、受け入れた信号の発信元である無線通信ポイント２０の位置情報（基準点Ｔを基準とした位置情報、ここではアドバタイズメント・パケットに含められて受信される）と、取得したそれぞれの無線通信ポイント２０からの信号の信号強度の情報（ＲＳＳＩ値）とに基づいて、自己が、予め定められた領域中に在圏するか否かを判断する。
【００４８】
移動体装置１は、ここで予め定められた領域中に在圏すると判断すると、各無線通信ポイント２０ａ，２０ｂ，２０ｃ…から受け入れた信号から取りだしたアドバタイズメント・パケットに含まれる情報から、配信の対象となった情報を再生し、当該再生した情報を表示する等の処理を行う。
【００４９】
このように本実施の形態によると、移動体装置１が自ら、自己が所定の領域中に在圏しているか否かを判断し、在圏していると判断したときに、情報の再生処理を行うので、情報の配信側である無線通信ポイント２０やセンタ側装置３の管理者に移動体装置１の位置を知らせることなく、配信先となる領域内にあるときに情報を再生する処理を行うことができる。
【００５０】
なお、ここまでの説明において、無線通信ポイント２０による情報の配信はＢＬＥのアドバタイズメント・パケットを用いることとしたが、本実施の形態における情報の配信方法は、認証や接続の処理を必要とせずに送受可能な信号であれば、無線ＬＡＮのビーコン信号を用いてもよい。この場合、無線通信ポイント２０は、無線ＬＡＮアクセスポイントであり、センタ側装置３から受信したデータブロックの内容や、無線通信ポイント２０自身の位置情報をフレームボディに含むビーコンフレームを生成してビーコン信号として発信する。
【００５１】
そしてこの場合には、移動体装置１の無線ＬＡＮ通信部１５ｂが、当該ビーコン信号を受信し、ビーコンフレームに含まれるデータブロックを取りだす。また、移動体装置１の無線ＬＡＮ通信部１５ｂが受信したビーコン信号の信号強度の情報（ＲＳＳＩ値）を得て、当該受け入れた信号の発信元の無線通信ポイント２０がどれであるかを表す識別情報（ビーコンフレームに含まれるＢＳＳＩＤ（Basic Service Set ID）等）と、得られた信号強度の情報（ＲＳＳＩ値）とを関連付けて記憶する。
【００５２】
そして移動体装置１は、記憶している無線通信ポイント２０の識別情報が、３種類以上（互いに異なる３つ以上の識別情報が記憶された状態）になったときに、当該互いに異なる識別情報に関連付けて記憶しているＲＳＳＩ値（信号強度の情報）を読み出す。移動体装置１は、さらに、受け入れた信号の発信元である無線通信ポイント２０の位置情報（基準点Ｔを基準とした位置情報、ここではビーコンフレームに含められて受信される）と、取得したそれぞれの無線通信ポイント２０からの信号の信号強度の情報（ＲＳＳＩ値）とに基づいて、自己が、予め定められた領域中に在圏するか否かを判断する。
【００５３】
そして移動体装置１は、ここで予め定められた領域中に在圏すると判断すると、各無線通信ポイント２０ａ，２０ｂ，２０ｃ…から受け入れた信号から取りだしたビーコンフレームに含まれる情報から、配信の対象となった情報を再生し、当該再生した情報を表示する等の処理を行う。
【００５４】
また無線信号到来源２の一部が無線信号を反射する反射体４０である場合について述べる。この場合、無線通信ポイント２０（や反射体４０）の設置者は、設定されている基準点Ｔにおける信号の到来状況（マルチパス伝播の状況）を測定しておく。具体的には各無線通信ポイント２０から順次、インパルス信号を送出させて、その遅延プロファイルを基準点Ｔにおいて測定することとすればよい。そして設置者は、各反射体４０の基準点Ｔから見たときの距離及び既定方向からの角度を得ておく。なお反射体４０は意図的に配置される場合だけでなく、無線通信ポイント２０の周囲にある柱など、意図せず反射体として機能してしまうような反射体４０を含む。
【００５５】
そして無線通信ポイント２０（や反射体４０）の設置者は、無線通信ポイント２０ａ，２０ｂ，２０ｃ…が、当該アドバタイズメント・パケットに、自己を特定する無線信号到来源の識別情報と、上記設定されている基準点Ｔからの距離及び既定方向からの角度（無線通信ポイント２０ａであれば、距離Ａ及び角度α）等、その位置情報を含めて送出するよう設定するとともに、各無線通信ポイント２が送出する信号を反射する反射体４０の距離及び既定方向からの角度の情報、並びに反射体４０と当該反射体４０と無線通信ポイント２との間の距離を、アドバタイズメント・パケットに含めて送出するよう設定する。
【００５６】
移動体装置１は、各無線信号到来源２から到来する信号を受信し、その信号強度の情報（ＲＳＳＩ値）を得る。そして移動体装置１の制御部１１は、各無線信号到来源２から到来する信号のうち、同じ内容の信号（同じデータブロックを含む信号）の有無を調べる。ここで同じ内容の信号が複数の互いに異なる無線信号到来源２から到来している場合には、制御部１１は、そのうち信号強度の情報（ＲＳＳＩ値）が最大のものが直接波であるとして、当該直接波であるとした信号の強度の情報（ＲＳＳＩ値）から当該直接波であるとした信号の到来源である無線信号到来源２までの距離Ｒdirectを得る。また制御部１１は、上記同じ内容の複数の信号のうち、直接波であるとしていない信号については、その信号強度の情報（ＲＳＳＩ値）からその信号の到来源である無線信号到来源２ｐまでの推定距離Ｒestimate_pを得る。
【００５７】
一方、制御部１１は受信した信号から、反射体４０と無線通信ポイント２との間の距離Ｌを得ておき、推定距離Ｒestimate_pからＬを差引きした値Ｒ_p＝Ｒestimate_p−Ｌを演算する。制御部１１は、この値Ｒ_pが、無線信号到来源２ｐまでの距離であるとして、受信した信号に含まれる反射体４０の基準点Ｔから見たときの距離及び既定方向からの角度、また直接波であると判断した信号については、無線通信ポイント２０の位置を表す情報を用いて、（２）式により、予め定められた領域中に自身（移動体装置１）が在圏するか否かを判断する。
【００５８】
またここまでの説明では、各無線通信ポイント２０等、無線信号到来源２までの距離を、移動体装置１へ到来する信号の強度の情報（ＲＳＳＩ値等）によって推定することとしていたが、本実施の形態はこれに限られない。
【００５９】
すなわち、本実施の形態の別の例では、移動体装置１は、各無線信号到来源２から到来する信号の遅延時間を測定して、当該測定した遅延時間の情報から距離を演算してもよい。
【００６０】
なお、上記の例においては、端末と無線信号到来源が２次元平面上にあると仮定し、その平面上の円形領域内にあるかどうかを判定する方法について説明したが、一般の領域に対しても、領域を複数の円形領域（複数の基準点Ｔを設定することになる）の集合で近似し、上記の方法を繰り返し適用することで適用することが可能である。また、ここまでの方法を３次元空間に拡張し、空間内の球状領域あるいはその集合体の領域内に存在するかどうかの判定をすることとしてもよい。３次元空間とする場合は、仰角φをさらに定めることとなる。
【００６１】
このように本実施の形態によれば、移動体装置１が複数の無線通信ポイント２０が発信する、符号化され、分割された情報を含む信号を受信し、当該受信した信号の強度や遅延等から無線信号の到来源までの距離を推定し、当該推定した距離か自己自身が予め定められた領域内に所在するか否かを調べ、所在するときに、上記受信した信号に含まれる情報を総合して配信の対象となる情報を再生することとしたもので、配信対象の情報に係る信号を停止して、距離測定専用の信号を送信する必要なく、また、移動体装置１の位置を無線通信ポイント２０等の設置者側に知られることなく、特定の領域に存在するか否かを判断して、当該領域にいるときに処理するべき情報を、選択的に処理することができるようになる。
【符号の説明】
【００６２】
１  移動体装置、２  無線信号到来源、３  センタ側装置、１１，２１  制御部、１２，２２  記憶部、１３  操作部、１４  表示部、１５  通信部、１５ａ  携帯電話通信部、１５ｂ  無線ＬＡＮ通信部、１５ｃ  近距離通信部、２０  無線通信ポイント、２３  第１通信部、２４  第２通信部、３１  情報受信部、３２  強度情報取得部、３３  判断部、３４  再生処理部。
【図１】
2015195467.tif 000005
【図２】
2015195467.tif 000006
【図３】
2015195467.tif 000007
【図４】
2015195467.tif 000008